(57)【特許請求の範囲】
【請求項１】
監視システムの監視装置から伸びる電源兼信号用の感知器回線に適宜挿入されて感知器回線を複数に区画し、感知器回線から供給される電力を整流回路を以て整流して得る駆動電圧により、感知器回線の短絡を検出し且つ短絡している区画を分離手段にて切り離してシステムダウンを防止するとともに、感知器回線を切り離した旨の返信信号を監視装置に返信する回線分離装置において、感知器回線に対して入力側と出力側との区別を無くす無方向性手段を設け、前記無方向性手段は、前記分離手段の前方と後方とにそれぞれ設けた前記整流回路の同極同志をそれぞれ接続したものであることを特徴とする回線分離装置。
【発明の詳細な説明】
【０００１】
【発明の属する技術分野】
本発明は、短絡した感知器回線を切り離すことによって、監視システム全体のシステムダウンを回避する回線分離装置に関する。
【０００２】
【従来の技術】
図３は従来の回線分離装置を示す内部回路ブロック図、図４および図５はそれぞれ従来の回線分離装置を説明するための監視システムの配線系統図である。
【０００３】
図４および図５において、１は監視装置に相当する火災受信機、２は火災受信機から伸びる電源兼信号用の感知器回線、３1,…は火災やガス漏れなどの所定物理事象を感知する感知器、４1,…は回線分離装置に相当するアイソレータである。
【０００４】
火災受信機１は、感知器回線２を介して感知器３1,…およびアイソレータ４1,…に対し順次サイクリックにポーリング信号を出力し、感知器３1,…およびアイソレータ４1,…から返信信号を順次返信せしめ、感知器３1,…およびアイソレータ４1,…の状態を監視し把握する。感知器３1,…は、それぞれ自己の周囲の火災有無を常時監視しており、火災受信機１から自己の固有アドレスと一致するポーリング信号を以てアクセスされたときに、監視結果としての火災有無状態を感知器回線２を介して火災受信機１に返信する。
【０００５】
アイソレータ４1,…は、通常時にあっては火災受信機１からのポーリング信号を自己の入力側から自己の出力側に通過させるものの、感知器回線短絡が発生すると自己の入力側と自己の出力側との間を遮断することによって、感知器回線短絡による悪影響が監視システム全体に波及しないようにするとともに、火災受信機１から自己の固有アドレスと一致するポーリング信号を以てアクセスされたときに、監視結果としての自己の入力側と自己の出力側との間の遮断有無状態を感知器回線２を介して火災受信機１に返信する。また、アイソレータ４1,…は、火災受信機１から自己の固有アドレスと一致するポーリング信号を以てアクセスされ、このポーリング信号に制御命令が含まれていれば、この制御命令に応じて自己の入力側と自己の出力側との間を遮断したり遮断を解除したりすることができるようにされている。
【０００６】
図４に示す監視システムあっては、火災受信機１からは感知器回線２が伸びており、この感知器回線２に複数のアイソレータ４1,…４4 のそれぞれの入力側が接続されている。また、アイソレータ４1 の出力側には分岐された感知器回線５1 が、アイソレータ４2 の出力側には分岐された感知器回線５2 が、アイソレータ４3 の出力側には分岐された感知器回線５3 が、アイソレータ４4 の出力側には分岐された感知器回線５4 が、それぞれ接続されている。更に、分岐された感知器回線５1 には感知器３1,…３4 と終端抵抗器６1 とが、分岐された感知器回線５2 には感知器３5,…３8 と終端抵抗器６2 とが、分岐された感知器回線５3 には感知器３9,…３12と終端抵抗器６3 とが、分岐された感知器回線５4 には感知器３13, …３16と終端抵抗器６4 とが、それぞれ接続されている。
【０００７】
図５に示す監視システムあっては、火災受信機１からは感知器回線２が伸びており、この感知器回線２にはアイソレータ４1 の入力側が接続され、このアイソレータ４1 の出力側には感知器回線７1 が接続され、この感知器回線７1 には感知器３1,…３3,とアイソレータ４2 の入力側とが接続され、このアイソレータ４2 の出力側には感知器回線７2 が接続され、この感知器回線７2 には感知器３4,…３6,とアイソレータ４3 の入力側とが接続されというように、順次送り配線を以て接続されている。
【０００８】
ところで図３に示すように、アイソレータ４は、第１端子（入力端子）Ｌ1,Ｃ1 と第２端子（出力端子）Ｌ2,Ｃ2 とを備える。また、アイソレータ４は、内部に、整流回路に相当するダイオードブリッジＤ1 と、ダイオードＤa と、返信回路部Ａ1 と、短絡検出回路部Ａ2 と、電源回路部Ａ3 と、受信回路部Ａ4 と、制御回路部Ｂと、電解コンデンサＥと、スイッチ回路Ｆ1,Ｆ2 と、分離手段に相当する２巻線ラッチングリレーＧとを備える。
【０００９】
ダイオードブリッジＤ1 は、第１端子Ｌ1,Ｃ1 間に印加されるポーリング信号の電圧を整流して出力する。返信回路部Ａ1 は、例えば、抵抗（図示せず）とスイッチングトランジスタ（図示せず）との直列回路から構成され、制御回路部Ｂの出力ポートRET から出力される返信制御信号に基づいてスイッチングトランジスタをオン・オフさせ、ダイオードブリッジＤ1 の出力する整流された電圧を前記抵抗に印加したりしなかったりを高速で行わせしめ、感知器回線２に流れる消費電流の多少を以て、電流返信のデジタル信号を火災受信機１に返信するようにされている。
【００１０】
短絡検出回路部Ａ2 は、ダイオードブリッジＤ1 の出力する電圧が所定電圧値以下である状態を所定時間以上継続すると、感知器回線２に短絡が発生したものと判断し、制御回路部Ｂの入力ポートP0RT1 に短絡を検出した旨の信号を出力する。電源回路部Ａ3 は、ダイオードブリッジＤ1 から出力されるリップルのある整流電圧を平滑化するとともに定電圧化して、制御回路部Ｂに給電する。受信回路部Ａ4 は、第１端子Ｌ1,Ｃ1 間に印加されるポーリング信号を、予め定められた規約に基づいた信号に変換して制御回路部Ｂの入力ポートSIG に入力する。
【００１１】
制御回路部Ｂは、マイコンを含んで構成されるものであり、アナログ回路の電源入力部VADCと、デジタル回路の電源入力部VDD と、入力ポートSIG,PORT1 と、出力ポートRET,PORT2,PORT3 と、アースGND とを備える。制御回路部Ｂは、入力ポートSIG に入力される信号に基づいて、火災受信機１から自己に対する命令を認識する。また、制御回路部Ｂは、短絡検出回路部Ａ2 から入力ポートPORT1 に短絡を検出した旨の信号が入力すると、出力ポートPORT3 からスイッチ回路Ｆ2 をオンするパルス信号を出力する。更に、制御回路部Ｂは、入力ポートSIG に入力される信号が、自己の第１端子Ｌ1,Ｃ1 側と自己の第２端子Ｌ2,Ｃ2 側との間の遮断を解除する旨の制御命令信号であれば出力ポートPORT2 からスイッチ回路Ｆ1 をオンするパルス信号を出力し、自己の第１端子Ｌ1,Ｃ1 側と自己の第２端子Ｌ2,Ｃ2 側との間を遮断する旨の制御命令信号であれば出力ポートPORT3 からスイッチ回路Ｆ2 をオンするパルス信号を出力するようにされている。
【００１２】
電解コンデンサＥは、電源回路部Ａ3 の出力する電圧を平滑化して電荷を蓄えるもので、第１端子Ｌ1,Ｃ1 間に印加されるポーリング信号が無くなっても暫くの間は通常通りの電源供給ができるようにされている。
【００１３】
２巻線ラッチングリレーＧは、端子Ｇ1,…Ｇ10を備えている。端子Ｇ1,Ｇ5 間にはリセット巻線Ｇr が接続され、端子Ｇ6,Ｇ10間にはセット巻線Ｇs が接続されている。また、端子Ｇ3 と端子Ｇ8 とには、独立した切換切片がそれぞれ設けられている。そして、２巻線ラッチングリレーＧは、リセット巻線Ｇr が励磁されると、端子Ｇ2,Ｇ3 間および端子Ｇ7,Ｇ8 間をそれぞれオンするとともに端子Ｇ3,Ｇ4 間および端子Ｇ8,Ｇ9 間をそれぞれオフし、セット巻線Ｇs が励磁されると、端子Ｇ2,Ｇ3 間および端子Ｇ7,Ｇ8 間をそれぞれオフするとともに端子Ｇ3,Ｇ4 間および端子Ｇ8,Ｇ9 間をそれぞれオンする。
【００１４】
アイソレータ４の内部回路は次のように接続されている。すなわち、第１端子Ｌ1 は、ダイオードブリッジＤ1 の一方の入力部と、２巻線ラッチングリレーＧの端子Ｇ3 とに接続する。第１端子Ｃ1 は、ダイオードブリッジＤ1 の他方の入力部と、２巻線ラッチングリレーＧの端子Ｇ8 と、ダイオードＤa のアノードとに接続している。ダイオードＤa のカソードは受信回路部Ａ4 の他端に接続している。第２端子Ｌ2 は２巻線ラッチングリレーＧの端子Ｇ4 に、第２端子Ｃ2 は２巻線ラッチングリレーＧの端子Ｇ9 にそれぞれ接続している。
【００１５】
ダイオードブリッジＤ1 のプラス出力部は、返信回路部Ａ1 と短絡検出回路部Ａ2 と電源回路部Ａ3 との、それぞれのプラス電源入力部に接続している。ダイオードブリッジＤ1 のマイナス出力部はアースしている。また、返信回路部Ａ1 と短絡検出回路部Ａ2 と電源回路部Ａ3 との、それぞれのマイナス電源入力部はアースしている。電源回路部Ａ3 のプラス出力部は、受信回路部Ａ4 の一端と、制御回路部Ｂのアナログ回路の電源入力部VADCと、制御回路部Ｂのデジタル回路の電源入力部VDD と、電解コンデンサＥの一端と、２巻線ラッチングリレーＧの端子Ｇ1,Ｇ6 とにそれぞれ接続している。制御回路部Ｂのマイナス電源入力部GND と電解コンデンサＥの他端とはそれぞれアースしている。２巻線ラッチングリレーＧの端子Ｇ5 は、スイッチ回路Ｆ2 を介してアースしている。２巻線ラッチングリレーＧの端子Ｇ10は、スイッチ回路Ｆ1 を介してアースしている。
【００１６】
図４に示すような配線系統図の監視システムにあっては、火災受信機１の電源を投入すると、火災受信機１から感知器回線２に制御信号を含んだポーリング信号が出力され、それぞれのアイソレータ４1,…４4 に電力が供給され、それぞれのアイソレータ４1,…４4 の出力ポートPORT2 からスイッチ回路Ｆ1 をオンするパルス信号が出力され、それぞれのアイソレータ４1,…４4 は自己の第１端子Ｌ1,Ｃ1 側と自己の第２端子Ｌ2,Ｃ2 側との間の遮断を解除することになり、火災受信機１からのポーリング信号がそれぞれの感知器３1,…３16に伝達され、それぞれの感知器３1,…３16は自己の周囲の火災有無状態を感知器回線２を介して火災受信機１に返信し、それぞれのアイソレータ４1,…４4 は自己の第１端子Ｌ1,Ｃ1 側と自己の第２端子Ｌ2,Ｃ2 側との間の遮断有無状態を感知器回線２を介して火災受信機１に返信する。
【００１７】
ここで、例えば、分岐された感知器回線５4 に短絡が生じると、この短絡の影響が波及して感知器回線５4 はもちろん感知器回線２および分岐された感知器回線５1,…５3 においてもポーリング信号の電圧は無くなる。そこで、それぞれのアイソレータ４1,…４4 の短絡検出回路部Ａ2 は、回線短絡を検出し、回線短絡を検出した旨の信号を制御回路部Ｂの入力ポートPORT1 に入力する。すると、制御回路部Ｂはスイッチ回路Ｆ2 をオンするパルス信号を出力ポートPORT3 から出力する。すると、スイッチ回路Ｆ2 は２巻線ラッチングリレーＧの端子Ｇ5 を一瞬間アースしてリセット巻線Ｇr を励磁するので、２巻線ラッチングリレーＧのそれぞれの切換切片は反転し、それぞれのアイソレータ４1,…４4 は自己の第１端子Ｌ1,Ｃ1 側と自己の第２端子Ｌ2,Ｃ2 側との間を遮断する。
【００１８】
すると、感知器回線２のポーリング信号の電圧は復帰することができ、それぞれのアイソレータ４1,…４4 は、自己の固有アドレスのポーリング信号が受信回路部Ａ4 にて受信されると、返信回路部Ａ1 から火災受信機１に対し感知器回線２を介して、自己の第１端子Ｌ1,Ｃ1 側と自己の第２端子Ｌ2,Ｃ2 側との間を現在遮断している状態である旨を返信する。そこで、火災受信機１は、それぞれのアイソレータ４1,…４4 が自己の第１端子Ｌ1,Ｃ1 側と自己の第２端子Ｌ2,Ｃ2 側との間を現在遮断している状態であることを認識する。
【００１９】
その上で火災受信機１は、ポーリング信号に制御命令を含めることによって、アイソレータ４1,…４4 の順に、順次自己の第１端子Ｌ1,Ｃ1 側と自己の第２端子Ｌ2,Ｃ2 側との間の遮断を解除する。すると、アイソレータ４4 の自己の第１端子Ｌ1,Ｃ1 側と自己の第２端子Ｌ2,Ｃ2 側との間の遮断を解除した時点で、感知器回線２および分岐された感知器回線５1,…５4 のポーリング信号の電圧は無くなり、前述と同様にそれぞれのアイソレータ４1,…４4 は自己の第１端子Ｌ1,Ｃ1 側と自己の第２端子Ｌ2,Ｃ2 側との間を遮断するので再び感知器回線２のポーリング信号の電圧は復帰する。
【００２０】
そこで、火災受信機１は、アイソレータ４4 を介して分岐されている感知器回線５4 で回線短絡が発生していることを認識し、ポーリング信号に制御命令を含めることによって、アイソレータ４4 を除いた他のアイソレータ４1,…４3 について自己の第１端子Ｌ1,Ｃ1 側と自己の第２端子Ｌ2,Ｃ2 側との間の遮断を解除する。従って、図４に示すような配線系統図の監視システムにあっては、たとえ感知器回線５4 で回線短絡を生じたにしてもシステム全体のシステムダウンには至らずに、感知器回線５4 のみのダウンで済ませることができる。
【００２１】
次に、図５に示すような配線系統図の監視システムについて説明する。図５に示すような配線系統図の監視システムにあっては、火災受信機１の電源を投入すると、先ず、火災受信機１から感知器回線２にポーリング信号が出力され、アイソレータ４1 に電力が供給され、アイソレータ４1 は制御信号を含んだポーリング信号に基づいて出力ポートPORT2 からスイッチ回路Ｆ1 をオンするパルス信号を出力し、自己の第１端子Ｌ1,Ｃ1 側と自己の第２端子Ｌ2,Ｃ2 側との間の遮断を解除する。すると次に、火災受信機１からのポーリング信号は感知器３1,…３3 とアイソレータ４2 とにまで伝達されるようになり、アイソレータ４2 に電力が供給され、アイソレータ４2 は制御信号を含んだポーリング信号に基づいて出力ポートPORT2 からスイッチ回路Ｆ1 をオンするパルス信号を出力し、自己の第１端子Ｌ1,Ｃ1 側と自己の第２端子Ｌ2,Ｃ2 側との間の遮断を解除する。すると更に、火災受信機１からのポーリング信号は感知器３4,…３6 とアイソレータ４3 とにまで伝達されるようになり、アイソレータ４3 に電力が供給され、アイソレータ４3 は制御信号を含んだポーリング信号に基づいて出力ポートPORT2 からスイッチ回路Ｆ1 をオンするパルス信号を出力し、自己の第１端子Ｌ1,Ｃ1 側と自己の第２端子Ｌ2,Ｃ2 側との間の遮断を解除すると言うように、火災受信機１からのポーリング信号の達する範囲が順次拡大して行き、システム全体にポーリング信号が行き渡るようになる。
【００２２】
そして、それぞれの感知器３1,…は自己の周囲の火災有無状態を、それぞれのアイソレータ４1,…は自己の第１端子Ｌ1,Ｃ1 側と自己の第２端子Ｌ2,Ｃ2 側との間の遮断有無状態を、感知器回線２と感知器回線７1,７2,…を介して火災受信機１に返信する。
【００２３】
ここで、例えば、感知器回線７2 に回線短絡が生じると、この短絡の影響が波及して感知器回線７2 はもちろん感知器回線２および感知器回線７1,７3,７4,…においてもポーリング信号の電圧は無くなる。そこで、それぞれのアイソレータ４1,…の短絡検出回路部Ａ2 は、回線短絡を検出し、回線短絡を検出した旨の信号を制御回路部Ｂの入力ポートPORT1 に入力する。すると、制御回路部Ｂはスイッチ回路Ｆ2 をオンするパルス信号を出力ポートPORT3 から出力する。そして、スイッチ回路Ｆ2 が２巻線ラッチングリレーＧの端子Ｇ5 を一瞬間アースしてリセット巻線Ｇr を励磁するので、２巻線ラッチングリレーＧのそれぞれの切換切片は反転し、それぞれのアイソレータ４1,…４4 は自己の第１端子Ｌ1,Ｃ1 側と自己の第２端子Ｌ2,Ｃ2 側との間を遮断する。
【００２４】
すると、感知器回線２のポーリング信号の電圧は復帰することができ、アイソレータ４1 は、自己の固有アドレスのポーリング信号が受信回路部Ａ4 にて受信されると、返信回路部Ａ1 から火災受信機１に対し感知器回線２を介して、自己の第１端子Ｌ1,Ｃ1 側と自己の第２端子Ｌ2,Ｃ2 側との間を現在遮断している状態である旨を返信する。そこで、火災受信機１は、アイソレータ４1 が自己の第１端子Ｌ1,Ｃ1 側と自己の第２端子Ｌ2,Ｃ2 側との間を現在遮断している状態であることを認識して、ポーリング信号に制御命令を含めることによってアイソレータ４1 の自己の第１端子Ｌ1,Ｃ1 側と自己の第２端子Ｌ2,Ｃ2 側との間の遮断を解除する。
【００２５】
すると、感知器回線７1 のポーリング信号の電圧は復帰することができ、アイソレータ４2 は、自己の固有アドレスのポーリング信号が受信回路部Ａ4 にて受信されると、返信回路部Ａ1 から火災受信機１に対し感知器回線７1 と感知器回線２とを介して、自己の第１端子Ｌ1,Ｃ1 側と自己の第２端子Ｌ2,Ｃ2 側との間を現在遮断している状態である旨を返信する。そこで、火災受信機１は、アイソレータ４2 が自己の第１端子Ｌ1,Ｃ1 側と自己の第２端子Ｌ2,Ｃ2 側との間を現在遮断している状態であることを認識して、ポーリング信号に制御命令を含めることによってアイソレータ４2 の自己の第１端子Ｌ1,Ｃ1 側と自己の第２端子Ｌ2,Ｃ2 側との間の遮断を解除する。
【００２６】
すると、感知器回線７2 は回線短絡を生じているので、アイソレータ４2 の自己の第１端子Ｌ1,Ｃ1 側と自己の第２端子Ｌ2,Ｃ2 側との間の遮断を解除した時点で、感知器回線２および感知器回線７1 のポーリング信号の電圧は無くなり、前述と同様にそれぞれのアイソレータ４1,４2 は自己の第１端子Ｌ1,Ｃ1 側と自己の第２端子Ｌ2,Ｃ2 側との間を遮断するので再び感知器回線２のポーリング信号の電圧は復帰する。
【００２７】
そこで、火災受信機１は、アイソレータ４2 の出力側に接続されている感知器回線７2 で回線短絡を生じていることを認識し、ポーリング信号に制御命令を含めることによって、アイソレータ４1 について自己の第１端子Ｌ1,Ｃ1 側と自己の第２端子Ｌ2,Ｃ2 側との間の遮断を解除する。従って、図５に示すような配線系統図の監視システムにあっては、たとえ感知器回線７2 で回線短絡を生じたにしてもシステム全体のシステムダウンに至らず、感知器回線７2 以降のダウンで済ませることができる。
【００２８】
【発明が解決しようとする課題】
しかしながら、上述のようなアイソレータにあっては、入力側と出力側との区別すなわち方向性があるので配線時に注意を要する。また、上述のようなアイソレータにあっては、方向性があるので、図５に示すような順次送り配線でループ状配線を施し、例えば感知器回線７2 で回線短絡を生じた場合、感知器回線７2 をアイソレータ４2 とアイソレータ４3 とを以て切り離し、感知器回線７1 までは右回りでポーリング信号を伝達するとともに感知器回線７3 までは左回りでポーリング信号を伝達するようなことはできず、伝達不能の感知器回線の区間を最小限に止めることができず、感知器回線７2 以降の全ての感知器回線にわたってポーリング信号の伝達を不能にしてしまうという問題点があった。
【００２９】
本発明は、上記の問題点を解決するために成されたもので、その目的とするところは、入力側と出力側との区別のない無方向性の回線分離装置を提供することにある。
【００３０】
【課題を解決するための手段】
本発明は上記の問題点を解決するため、監視システムの監視装置から伸びる電源兼信号用の感知器回線に適宜挿入されて感知器回線を複数に区画し、感知器回線から供給される電力を整流回路を以て整流して得る駆動電圧により、感知器回線の短絡を検出し且つ短絡している区画を分離手段にて切り離してシステムダウンを防止するとともに、感知器回線を切り離した旨の返信信号を監視装置に返信する回線分離装置において、感知器回線に対して入力側と出力側との区別を無くす無方向性手段を設け、前記無方向性手段は、前記分離手段の前方と後方とにそれぞれ設けた前記整流回路の同極同志をそれぞれ接続したものであることを特徴とする。
【００３２】
【発明の実施の形態】
以下、本発明に係る回線分離装置の一実施の形態を図１および図２に基づいて詳細に説明する。図１は回線分離装置を示す内部回路ブロック図である。図２は回線分離装置の用い方を示す説明図であり、図２（ａ）は回線分離装置を用いた監視システムの配線系統図、図２（ｂ）は監視システムの信号経路の切り換え方を示す説明図表である。なお、図１および図２において、従来の技術で説明した部分と同じ箇所には同じ符号を付してあるので、同じ箇所の詳細な説明は省略する。
【００３３】
図１に示すように、回線分離装置に相当するアイソレータ４が、従来のアイソレータと異なり特徴となるのは、第１端子Ｌ1,Ｃ1 間のダイオードブリッジＤ1 のみならず、第２端子Ｌ2,Ｃ2 間にも整流回路に相当するダイオードブリッジＤ2 を設け、且つ、従来のアイソレータのダイオードＤa に代えてダイオードＤb,Ｄc を設けた構成である。
【００３４】
ダイオードブリッジＤ2のプラス出力部は、ダイオードブリッジＤ1 のプラス出力部に接続している。ダイオードブリッジＤ1,Ｄ2のマイナス出力部はアースしている。すなわち、ダイオードブリッジＤ1,Ｄ2は、同極同志がそれぞれ接続されている。また、ダイオードＤb のアノードは第１端子Ｃ1 に、ダイオードＤc のアノードは第２端子Ｃ2 に、それぞれ接続している。更に、ダイオードＤb,Ｄc のカソードは、受信回路部Ａ4 の他端に接続している。
【００３５】
従って、図１に示すアイソレータ４にあっては、短絡検出回路部Ａ2 が回線短絡を検出した旨の信号を入力ポートPORT1 に入力し、制御回路部Ｂがスイッチ回路Ｆ2 をオンするパルス信号を出力ポートPORT3 から出力し、２巻線ラッチングリレーＧのリセット巻線Ｇr を励磁し、端子Ｇ2,Ｇ3 間および端子Ｇ7,Ｇ8 間をそれぞれオンするとともに端子Ｇ3,Ｇ4 間および端子Ｇ8,Ｇ9 間をそれぞれオフし、自己の第１端子Ｌ1,Ｃ1 側と自己の第２端子Ｌ2,Ｃ2 側との間を遮断したときであっても、第１端子Ｌ1,Ｃ1 側あるいは第２端子Ｌ2,Ｃ2 側のいずれかにポーリング信号が到達していれば、返信回路部Ａ1 と短絡検出回路部Ａ2 と電源回路部Ａ3 と受信回路部Ａ4 と制御回路部Ｂと電解コンデンサＥとスイッチ回路Ｆ1,Ｆ2 と２巻線ラッチングリレーＧとは正常に作動できる。
【００３６】
つまり、図１に示すアイソレータ４にあっては、入力側出力側の区別が無く、第１端子Ｌ1,Ｃ1 側が監視装置に相当する火災受信機１側に接続されようと、第２端子Ｌ2,Ｃ2 側が監視装置に相当する火災受信機１側に接続されようと、従来の技術で説明したアイソレータと同じ動作をすることができるとともに、回線短絡を生じた感知器回線の悪影響が全感知器回線に及んでシステム全体がシステムダウンしてしまうことを、ダイオードブリッジＤ1,Ｄ2 のいずれかで阻止することができる。
【００３７】
そこで、図２（ａ）に示すように、火災受信機１から伸びる感知器回線２を、アイソレータ４1,…を用いて順次送り配線を以て複数に区画し、火災受信機１に対してループ状に配線を施す。そして、火災受信機１において、図２（ｂ）に示すように、通常時にあっては、感知器回線スイッチＳＷ1 と終端抵抗器接続スイッチＳＷ2 とをオンし且つ逆回り感知器回線スイッチＳＷ3 をオフする。
【００３８】
ここで、例えば図２（ａ）の地点Ｐで回線短絡を生じたとすると、火災受信機１は、従来の技術で説明した要領で、アイソレータ４n-2 の第２端子Ｌ2,Ｃ2 側の感知器回線にて回線短絡を生じたことを認識し、図２（ｂ）に示すように、感知器回線スイッチＳＷ1 のオンを継続するとともに逆回り感知器回線スイッチＳＷ3 をオンし、且つ終端抵抗器接続スイッチＳＷ2 をオフする。その後、火災受信機１は、制御命令を含むポーリング信号によって、アイソレータ４n-1 とアイソレータ４n-2 とにおいてのみ自己の第１端子Ｌ1,Ｃ1 側と自己の第２端子Ｌ2,Ｃ2 側との間を遮断し、他のアイソレータにあっては自己の第１端子Ｌ1,Ｃ1 側と自己の第２端子Ｌ2,Ｃ2 側との間の遮断を解除するよう制御する。
【００３９】
つまり、図１に示すアイソレータ４にあっては、入力側出力側の区別が無く、第１端子Ｌ1,Ｃ1 側が監視装置に相当する火災受信機１側に接続されようと、第２端子Ｌ2,Ｃ2 側が監視装置に相当する火災受信機１側に接続されようと、従来の技術で説明したアイソレータと同じ動作をすることができるとともに、回線短絡を生じた感知器回線の悪影響が全感知器回線に及んでシステム全体がシステムダウンしてしまうことを、ダイオードブリッジＤ1,Ｄ2 のいずれかで阻止することができるので、複数のアイソレータ４1,…を用いて火災受信機１から伸びる感知器回線２を順次送り配線を以て複数に区画し、火災受信機１に対してループ状に配線することによって、短絡を生じた１つの区間に接続されている感知器３a,３b,３c のみを使用不能にするだけで済ますことができる。つまり、使用不能にする感知器を最小限に止めることができる。
【００４０】
なお、上記実施の形態の回線分離装置にあっては、図２（ａ）に示すようなループ状配線のみならず、従来の技術で図４および図５を用いて説明したような感知器回線の区画方法でも使用できることは言うまでもない。
【００４１】
【発明の効果】
請求項１記載の発明によれば、感知器回線に接続するときに入力側出力側の区別を考慮する必要が無く使い勝手が良く、しかも、監視装置から伸びる感知器回線を順次送り配線を以て複数に区画し、監視装置に対してループ状に配線することによって、短絡を生じた１つの区間に接続されている感知器のみを使用不能にするだけで済む、つまり、使用不能にする感知器を最小限に止めることのできる、優れる回線分離装置を提供できるという効果を奏する。
【図面の簡単な説明】
【図１】本発明に係る一実施の形態の回線分離装置を示す内部回路ブロック図である。
【図２】上記回線分離装置の用い方を示す説明図である。
【図３】従来の回線分離装置を示す内部回路ブロック図である。
【図４】従来の回線分離装置を説明するための監視システムの配線系統図である。
【図５】従来の回線分離装置を説明するための監視システムの配線系統図である。
【符号の説明】
１      監視装置
２      感知器回線
４      回線分離装置
Ｄ1     整流回路（無方向性手段）
Ｄ2     整流回路（無方向性手段）
【図１】
0003697770.tif 000002
【図２】
0003697770.tif 000003
【図３】
0003697770.tif 000004
【図４】
0003697770.tif 000005
【図５】
0003697770.tif 000006